(57)【特許請求の範囲】
【請求項１】
（ａ）軸方向両端を開口し内部にファン及びそれを駆動する油圧モータを収容しているファンケース(30)、
（ｂ）上端部において前記ファンケース(30)を水平線の周りに回転自在に支持している起立枠(28)、
（ｃ）前記ファンケース(30)の吐出側開口(32)が左向きと右向きとの間で鉛直線の周りに回転するように前記起立枠(28)の下端部を支持している台部(22)、
（ｄ）前記台部(22)に装備される油圧ポンプ、及び
（ｅ）前記起立枠(28)の一方の側部に沿って上昇して前記油圧ポンプと前記油圧モータとを接続し前記ファンケース(30)の吐出側開口(32)の左右の一方の向きではほぼ１回巻きの状態になり他方の向きではその巻きを解除される油圧ホース(50)、
を有していることを特徴とする送風機付き装置。
【請求項２】
前記起立枠(28)は、前記ファンケース(30)の下方において前記台部(22)の横断方向へ延びる横断部(42)をもち、ループ状ホースガイド(56)が、前記横断部(42)に取り付けられて、前記油圧ホース(50)を通り抜けさせていることを特徴とする請求項１記載の送風機付き装置。
【請求項３】
前記起立枠(28)に固定され前記台部(22)にほぼ鉛直線の周りに回転自在に枢支されるベース(58)、一端側においてほぽ鉛直線の周りに回転自在に前記台部(22)に枢支されるアーム(68)、一端側及び中間部においてそれぞれ前記起立枠(28)及び前記アーム(68)の他端側に回転自在に枢支されているリンク(64)、及び両端部をそれぞれ前記リンク(64)の他端側及び前記台部(22)に回転自在に枢支されている旋回用シリンダ(74)を有していることを特徴とする請求項１又は２記載の送風機付き装置。
【請求項４】
前記台部(22)はフレーム材(46)から成り、前記油圧ホース(50)は、上方視、前記フレーム材(46)と前記旋回用シリンダ(74)との間でかつ前記起立枠(28)の旋回時の運動要素の運動範囲と重ならない範囲(84)を上下方向へ通過していることを特徴とする請求項３記載の送風機付き装置。
【発明の詳細な説明】
【０００１】
【発明の属する技術分野】
この発明は、圃場に薬剤を散布する薬剤散布機や落ち葉の吹き集め等の風を吐出するブロワ等の送風機付き装置に係り、詳しくは上下方向及び水平方向へ送風機の向きを調整できる送風機付き装置に関するものである。
【０００２】
【従来の技術】
特公平４−７６７４３号公報の薬剤散布装置では、ファン及びそれを駆動する油圧モータを収容するファンケースを所定高さに保持しつつ、ファンケースの吐出側開口の向きを上下方向及び左右方向へ変更できるようにしている。このような薬剤散布装置では、油圧ポンプとファンケース内の油圧モータとの間での油圧の給排のために、油圧ホースが配管されている。
【０００３】
【発明が解決しようとする課題】
従来の薬剤散布装置では、油圧ホースの配管について特に考慮されていない。油圧ホースは、高圧の油圧を導くので、強度を確保するために、可撓性が低下しており、無理に捻られると、耐久性が悪化する。
【０００４】
この発明の目的は、ファンケースの送風機の向きの変更に円滑に対応しつつ、油圧ホースの耐久性低下を防止できる送風機付き装置を提供することである。
【０００５】
【課題を解決するための手段】
【０００６】
この発明の送風機付き装置（１０）は次の（ａ）〜（ｅ）を有している。
（ａ）軸方向両端を開口し内部にファン及びそれを駆動する油圧モータを収容しているファンケース（３０）
（ｂ）上端部においてファンケース（３０）を水平線の周りに回転自在に支持している起立枠（２８）
（ｃ）ファンケース（３０）の吐出側開口（３２）が左向きと右向きとの間で鉛直線の周りに回転するように起立枠（２８）の下端部を支持している台部（２２）
（ｄ）台部（２２）に装備される油圧ポンプ
（ｅ）起立枠（２８）の一方の側部に沿って上昇して油圧ポンプと油圧モータとを接続しファンケース（３０）の吐出側開口（３２）の左右の一方の向きではほぼ１回巻きの状態になり他方の向きではその巻きを解除される油圧ホース（５０）
を有している。
【０００７】
ファンケース（３０）は、起立枠（２８）の上端部におけるほぼ水平線の周りの回転により上下方向へ揺動し、また、ほぼ鉛直線の周りの台部（２２）に対する起立枠（２８）の回転により水平方向へ揺動する。油圧ホース（５０）は、ファンケース（３０）と台部（２２）とを接続しているので、台部（２２）に対するファンケース（３０）の相対変位に伴い、捻られるが、ファンケース（３０）の吐出側開口（３２）の左右の一方及び他方の向きでそれぞれ１回巻き状態及び巻き解除状態になり、捻じれは最小限に限定される。これにより、油圧ホース（５０）は、台部（２２）に対するファンケース（３０）の相対変位に追従しつつ，耐久性低下を防止される。
【０００８】
この発明の他の送風機付き装置（１０）によれば、さらに、起立枠（２８）は、ファンケース（３０）の下方において台部（２２）の横断方向へ延びる横断部（４２）をもつ。ループ状ホースガイド（５６）は、横断部（４２）に取り付けられて、油圧ホース（５０）を通り抜けさせている。
【０００９】
ループ状ホースガイド（５６）は、ほぼ鉛直線の周りに起立枠（２８）と一体に揺動するとともに、ファンケース（３０）の下側において、油圧ホース（５０）を通り抜けさせて、通り抜け位置を規定する。これにより、油圧ホース（５０）の巻き状態及び巻き解除状態の切替は円滑化する。
【００１０】
この発明の他の送風機付き装置（１０）は、さらに、起立枠（２８）に固定され台部（２２）にほぼ鉛直線の周りに回転自在に枢支されるベース（５８）、一端側においてほぽ鉛直線の周りに回転自在に台部（２２）に枢支されるアーム（６８）、一端側及び中間部においてそれぞれ起立枠（２８）及びアーム（６８）の他端側に回転自在に枢支されているリンク（６４）、及び両端部をそれぞれリンク（６４）の他端側及び台部（２２）に回転自在に枢支されている旋回用シリンダ（７４）を有している。
【００１１】
ベース（５８）、アーム（６８）、及びリンク（６４）の結合点は四節回転連鎖（８６）を構成する。四節回転連鎖（８６）を使用して、起立枠（２８）をほぼ鉛直線の周りに回動することにより、旋回用シリンダ（７４）の等速の伸縮に対する起立枠（２８）の各回転位置の回転速度を適正値になるように、設定できる。
【００１２】
この発明の他の送風機付き装置（１０）によれば、さらに、台部（２２）はフレーム材（４６）から成る。油圧ホース（５０）は、上方視、フレーム材（４６）と旋回用シリンダ（７４）との間でかつ起立枠（２８）の旋回時の運動要素の運動範囲と重ならない範囲（８４）を上下方向へ通過している。
【００１３】
油圧ホース（５０）は、ファンケース（３０）から油圧ポンプへ向かう途中、ベース（５８）、アーム（６８）、リンク（６４）、及び旋回用シリンダ（７４）の高さを上下方向へ通過しなければならない。油圧ホース（５０）は、範囲（８４）を通過することにより、その高さの通過部位を適切に設定される。
【００１４】
この発明の送風機付き装置（１０）は次の（ａ）〜（ｆ）を有している。
（ａ）三点リンク（１４）を介して自走車（１２）に連結される車輪付き台車（２２）
（ｂ）車輪付き台車（２２）に配設され自走車（１２）のＰＴＯ軸（２０）の動力を介して駆動される油圧ポンプ
（ｃ）軸方向両端を開口し内部にファン及びそれを駆動する油圧モータを収容しているファンケース（３０）
（ｄ）上端部においてファンケース（３０）を水平線の周りに回転自在に支持しファンケース（３０）の吐出側開口（３２）が左向きと右向きとの間で鉛直線の周りに回転するように下端部において車輪付き台車（２２）に支持される起立枠（２８）
（ｅ）車輪付き台車（２２）に装備される油圧ポンプ
（ｆ）起立枠（２８）の一方の側部に沿って上昇して油圧ポンプと油圧モータとを接続する油圧ホース（５０）
を有している。
【００１５】
従来の送風機付き装置は、自走車（１２）に直接組み付けられているのに対し、この送風機付き装置（１０）は、農業用トラクタ等の自走車（１２）に三点リンク（１４）を介して連結される方式であるので、組付け型に比して効率的な運用及び装置の簡単化を図ることができる。
【発明の実施の形態】
以下、発明の実施の形態について図面を参照して説明する。
図２は散布装置１０及び農業用トラクタ１２を連結状態で示す側面図である。農業用トラクタ１２は、後部に三点リンク１４及び２６を備え、三点リンク１４は、１個のアッパリンク１６と、２個のロアリンク１８とを有している。散布装置１０のフレーム台２２は、前後左右に計４個のキャスタ２４を有し、三点リンク１４を介して農業用トラクタ１２へ連結される。油圧ポンプは、フレーム台２２内に配設され、ＰＴＯ軸２０からの回転動力により駆動される。支持フレーム２８は、フレーム台２２から起立し、上端部においてファンケース３０を水平線の周りに傾動自在に支持している。傾動用油圧シリンダ２９は、、油圧ホース５０とは反対側のファンケース３０の側部側に設置され、伸縮によりファンケース３０の傾動角を水平面に対して＋−所定範囲で調整する。
【００１６】
図１は散布装置１０の主要部の斜視図である。ファンケース３０は、軸方向両端を吸入側開口３１及び吐出側開口３２として開口し、吐出側開口３２側の半部は吐出側開口３２の方へ径を漸減するテーパとしており、吸入側開口３１より吐出側開口３２の面積を縮小されている。環状ノズルパイプ３４は、吐出側開口３２の周縁に沿って延び、複数個のノズル３６は、等間隔で環状ノズルパイプ３４に取付けられている。直線状ノズルパイプ３８は、吐出側開口３２の水平方向の直径に沿って吐出側開口３２を横断し、２個のノズル４０は、吐出側開口３２のほぼ中心部において直線状ノズルパイプ３８に取付けられている。ファンケース３０内には、ファン及びファンを駆動する油圧モータ（共に図示せず）が収容される。
【００１７】
支持フレーム２８は、ファンケース３０の下側の水平枠部４２と、水平枠部４２の両端から起立して上端部においてファンケース３０の両側部に達してファンケース３０を水平線の周りに回動自在に支持する鉛直枠部４４とを備えている。フレーム台２２は、前後方向へ延びる左右のサイドフレーム４６と、両サイドフレーム４６を連結する中間部横フレーム４８とを有している。油圧ホース５０は、給排の２本とドレンの１本との計３本から成り、上端部においてファンケース３０内の油圧モータに接続され、中間部において一方の鉛直枠部４４の外側から内側へ回り込み、下端部においてフレーム台２２内の油圧ポンプ及びオイルタンクに接続される。液体ホース５２は、環状ノズルパイプ３４用と直線状ノズルパイプ３８用との２本存在し、上端部において環状ノズルパイプ３４及び直線状ノズルパイプ３８に接続され、下端部の接続口５４は一方の鉛直枠部４４の下端部に位置している。ガイド５５は、水平枠部４２の中心に対して傾動用油圧シリンダ２９側の鉛直枠部４４に少し偏倚した位置で水平枠部４２から起立し、上端部に円環５６を備えている。油圧ホース５０は円環５６を通されている。
【００１８】
図３は支持フレーム２８と中間部横フレーム４８との結合部の詳細図である。垂下フレーム５７は水平枠部４２の中心部の下面から垂下し、張出し板５８は、垂下フレーム５７の下端に固定されつつ、中間部横フレーム４８の方へ張り出し、鉛直方向の周りに回転自在に結合軸６０により中間部横フレーム４８に支持されている。垂下棒６２は、水平枠部４２の下面から垂下し、「く」字形のリンクプレート６４は、一端部において結合軸６６により垂下棒６２に鉛直線の周りに回転自在に結合している。アーム６８は、結合軸７０により鉛直線の周りに回転自在に中間部横フレーム４８に結合し、結合軸７２により鉛直線の周りに回転自在にリンクプレート６４の中間部に結合している。旋回用油圧シリンダ７４は、後端部において鉛直線の周りに回転自在にフレーム台２２の後部横フレーム７６に結合し、前端部において結合軸７８により鉛直線の周りに回転自在にリンクプレート６４の他端部に結合している。範囲８４は、上方から見て、フレーム台２２のサイドフレーム４６、中間部横フレーム４８、及び後部横フレーム７６により囲われる範囲で、かつ旋回用油圧シリンダ７４の伸縮に伴う支持フレーム２８の運動中に支持フレーム２８や旋回用油圧シリンダ７４等の運動要素の運動範囲と重ならない範囲となっている。
【００１９】
図４は支持フレーム２８と中間部横フレーム４８との結合部の図３とは別の角度から見た図である。切欠き８０は、張出し板５８に形成され、結合軸７０と張出し板５８との干渉を回避する。切欠き８２は、垂下フレーム５７に形成され、垂下フレーム５７とリンクプレート６４との干渉を回避する。
【００２０】
図５は支持フレーム２８と中間部横フレーム４８との結合部を上方から見た図である。結合軸６０，６６，７０，７２は四節回転連鎖８６を構成する。
【００２１】
この散布装置１０は、旋回用油圧シリンダ７４の伸縮により支持フレーム２８を鉛直線の周りに回動させ、これにより、ファンケース３０の吐出側開口３２を真後ろ向きを中心に左右の所定範囲内で変更できる。また、ファンケース３０は傾動用油圧シリンダ２９の伸縮により水平面に対する傾動角を変更し、これにより、吐出側開口３２の向きを上下方向へ所定範囲で変更できる。散布装置１０は、ノズル３６，４０から薬液又は水を噴射して、薬液散布機、潅水装置、さらには、細霧を芝上部等に散布して冷房する細霧冷房機等として使用される。また、ノズル３６，４０からの液体散布を中止して、ファンケース３０内のファンだけを駆動させて、風力により落ち葉等を吹き集めたり、枯れ葉を飛ばしたりするブロワ等としても使用される。
【００２２】
図６は結合軸６６を結合軸６０に対して１０°ずつ回転したときの結合軸７２，７８の軌跡上の位置を示している。旋回用油圧シリンダ７４の伸縮により結合軸６６が結合軸６０に対して回転し、結果、支持フレーム２８がフレーム台２２に対して鉛直線の周りを回動する。こうして、ファンケース３０の吐出側開口３２の向きを、散布装置１０の真後ろ向きを中心に左右の範囲で変更できる。旋回用油圧シリンダ７４の伸縮に対して、Ａ，Ｂ，Ｃはそれぞれ結合軸６６，７８，７２の軌跡を示している。Ａ上に１０°間隔に取られた結合軸６６の位置に対して、Ｂ上の結合軸７８の各位置は、Ｂの両端において疎で、中央部において密になっている。したがって、結合軸７８を等速で伸張している場合、結合軸６６は、Ａの両端範囲で低速で回転し、Ａの中央範囲で高速で回転する。
【００２３】
図７はファンケース３０が吐出側開口３２を右へ向けたときの油圧ホース５０の状態をフレーム台２２の右方から見た図、図８はファンケース３０が吸入側開口３１を右へ向けたとき（＝吐出側開口３２を左へ向けたとき）の油圧ホース５０の状態をフレーム台２２の右方から見た図である。ファンケース３０が吐出側開口３２を右へ向けているときには、油圧ホース５０は１回巻きの状態となっており、ファンケース３０が吐出側開口３２を左へ向けているときには、油圧ホース５０は巻きを解除されて延びた状態となっている。これにより、支持フレーム２８の左右の回転に伴う油圧ホース５０の捻りは抑制され、油圧ホース５０の耐久性低下を防止できる。
【図面の簡単な説明】
【図１】散布装置の主要部の斜視図である。
【図２】散布装置及び農業用トラクタを連結状態で示す側面図である。
【図３】支持フレームと中間部横フレームとの結合部の詳細図である。
【図４】支持フレームと中間部横フレームとの結合部の図３とは別の角度から見た図である。
【図５】支持フレームと中間部横フレームとの結合部を上方から見た図である。
【図６】結合軸を結合軸に対して１０°ずつ回転したときの各結合軸の軌跡上の位置を示す図である。
【図７】ファンケースが吐出側開口を右へ向けたときの油圧ホースの状態をフレーム台の右方から見た図である。
【図８】ファンケースが吸入側開口を右へ向けたときの油圧ホースの状態をフレーム台の右方から見た図である。
【符号の説明】
１０    散布装置（送風機付き装置）
１２    農業用トラクタ（車輪付き台車）
１４    三点リンク
２０    ＰＴＯ軸
２２    フレーム台（車輪付き台車、台部）
２８    支持フレーム（起立枠）
３０    ファンケース
３２    吐出側開口
４２    水平枠部（横断部）
４６    サイドフレーム
５０    油圧ホース
５６    円環（ループ状ホースガイド）
５８    張出し板（ベース）
６４    リンクプレート（リンク）
６８    アーム
７４    旋回用油圧シリンダ（旋回用シリンダ）
８４    範囲
８６    四節回転連鎖
【図１】
0003576349.tif 000002
【図２】
0003576349.tif 000003
【図３】
0003576349.tif 000004
【図４】
0003576349.tif 000005
【図５】
0003576349.tif 000006
【図６】
0003576349.tif 000007
【図７】
0003576349.tif 000008
【図８】
0003576349.tif 000009